(57)【要約】【課題】  少ない手間で床面掃除から隙間掃除に移ることができる縦型電気掃除機を提供すること。【解決手段】  縦型電気掃除機は、電気掃除機本体１内に、吸込口体が連結される吸込口体連結部と、本体通風路３と、延長管連結部を備える。床面掃除を行う場合、延長管連結部に延長管４の先端部分を連結して、吸込口体から吸入された埃を、本体通風路３、延長管４、手元パイプ５及びホース６を介してサイクロン装置７に収集する。隙間掃除を行う場合、延長管連結部から延長管４の先端部分を抜き出し、隙間ノズル１０を延長管４の先端から突出させて、この隙間ノズル１０から吸い込んだ埃を、延長管４、手元パイプ５及びホース６を介してサイクロン装置７に収集する。延長管４の先端部分の内側に隙間ノズル１０を進退自在に収容しているので、簡単かつ迅速に床面掃除から隙間掃除に移ることができる。【選択図】図１
2006239222.tif 000002
【特許請求の範囲】
【請求項１】
集塵部及び電動送風機を収容する本体と、
上記本体の下部に連結され、吸込口を有する吸込口体と、
上記本体に設けられ、上記吸込口体に一端が接続された本体通風管と、
上記本体通風管の他端に一端部分が着脱自在に接続されていると共に、この一端部分の内側に、隙間ノズルが進退自在に設けられた延長管と、
上記延長管の他端に一端が接続されていると共に、他端が上記本体の集塵部に接続されたホースと
を備えることを特徴とする縦型電気掃除機。
【請求項２】
請求項１に記載の縦型電気掃除機において、
上記延長管は、上記一端部分の側面に、上記本体通風管の他端に臨む延長管側貫通孔を有し、
上記延長管側貫通孔は、上記隙間ノズルが上記延長管の一端側に進出したときに閉じる一方、上記隙間ノズルが上記延長管の他端側に退去したときに開放するように形成されていることを特徴とする縦型電気掃除機。
【請求項３】
請求項１に記載の縦型電気掃除機において、
上記延長管は、上記一端部分の側面に、上記本体通風管の他端に臨む延長管側貫通孔を有し、
上記隙間ノズルは、側面にノズル側貫通孔を有し、
上記隙間ノズルが上記延長管の一端側に進出したとき、上記延長管側貫通孔と上記ノズル側貫通孔との連通が遮断される一方、上記隙間ノズルが上記延長管の他端側に退去したとき、上記延長管側貫通孔と上記ノズル側貫通孔とが連通するように形成されていることを特徴とする縦型電気掃除機。
【請求項４】
請求項２又は３に記載の縦型電気掃除機において、
上記本体通風管の他端に上記延長管の一端部分が接続されたとき、上記延長管の隙間ノズルの先端に設けられた開口を閉塞する閉塞部材を備えることを特徴とする縦型電気掃除機。
【請求項５】
請求項１に記載の縦型電気掃除機において、
上記延長管は、上記隙間ノズルを一端側に向かって付勢する付勢部材を有することを特徴とする縦型電気掃除機。
【請求項６】
請求項１に記載の縦型電気掃除機において、
上記延長管は、上記一端部分に、この延長管に対して進退自在かつ分離不可に形成された補助ブラシを有することを特徴とする縦型電気掃除機。
【発明の詳細な説明】
【技術分野】
【０００１】
本発明は、縦型電気掃除機に関し、詳しくは、吸込口体を用いた床面掃除と、隙間ノズルを用いた隙間掃除とを行うことができる縦型電気掃除機に関する。
【背景技術】
【０００２】
従来、この種の縦型電気掃除機としては、電気掃除機本体の下端に設けられて床面に対向する吸込口を有する吸込口体と、上記電気掃除機本体と一体に形成された取付け管と、この取付け管に一端が着脱可能に連結された延長管と、この延長管の他端に連結されたホースと、このホースに接続され、上記電気掃除機本体内に収容された集塵部とを有するものが知られている（例えば特開平１０−４３０９５号公報；特許文献１参照）。上記電気掃除機本体には、細長の開口が先端に設けられた隙間ノズルを収納している。床面の掃除を行うときには、上記吸込口体の吸込口から吸い込んだ塵埃を、上記取付け管、延長管及びホースを経由して上記集塵部に収集する。一方、床面の角や隙間等の掃除を行うときには、操作者によって、上記延長管の一端が取付け管から離脱されると共に、上記隙間ノズルが電気掃除機本体から取り外される。この隙間ノズルが上記延長管の一端に取り付けられ、この隙間ノズルの先端から吸い込んだ塵埃を、上記延長管及びホースを経由して上記集塵部に収集する。
【０００３】
しかしながら、上記従来の縦型電気掃除機は、床面の掃除から隙間の掃除に移るとき、操作者が、上記延長管の一端を取付け管から離脱すると共に、上記隙間ノズルを電気掃除機本体から取り外し、この隙間ノズルを上記延長管の一端に取り付けるという作業を行う必要がある。したがって、床面掃除から隙間掃除に移るのに手間と時間がかかるという問題がある。
【特許文献１】特開平１０−４３０９５号公報
【発明の開示】
【発明が解決しようとする課題】
【０００４】
そこで、本発明の課題は、少ない手間で迅速に床面掃除から隙間掃除に移ることができる縦型電気掃除機を提供することにある。
【課題を解決するための手段】
【０００５】
上記課題を解決するため、本発明の縦型電気掃除機は、
集塵部及び電動送風機を収容する本体と、
上記本体の下部に連結され、吸込口を有する吸込口体と、
上記本体に設けられ、上記吸込口体に一端が接続された本体通風管と、
上記本体通風管の他端に一端部分が着脱自在に接続されていると共に、この一端部分の内側に、隙間ノズルが進退自在に設けられた延長管と、
上記延長管の他端に一端が接続されていると共に、他端が上記本体の集塵部に接続されたホースと
を備えることを特徴としている。
【０００６】
上記構成によれば、上記本体通風管の他端に上記延長管の一端部分が接続されたとき、上記電動送風機の動作によって、上記吸込口体の吸込口から吸い込まれた空気が、上記本体通風路と、上記延長管と、上記ホースとを経由して上記集塵部に導かれる。一方、上記本体通風路の他端から上記延長管の一端部分が離脱されたとき、上記隙間ノズルを延長管の一端側に進出させることにより、上記電動送風機の動作によって、上記隙間ノズルから吸い込まれた空気が、延長管及びホースを経由して、上記集塵部に導かれる。このように、上記延長管の一端部分を上記本体通風路の他端から離脱して隙間ノズルを進出させるという簡単な操作により、上記吸込口体の吸込口から例えば床の表面の塵埃を吸い込む床面掃除から、上記隙間ノズルの先端から例えば床の角や隙間等の塵埃を吸い込む隙間掃除に移ることができる。したがって、延長管の一端を取付け管から離脱すると共に、隙間ノズルを電気掃除機本体から取り外し、この隙間ノズルを延長管の一体に取り付ける従来よりも、簡単かつ迅速に床面掃除から隙間掃除に移ることができる。
【０００７】
なお、上記隙間ノズルとは、一端に、他端の開口よりも狭まった開口を有し、例えば床面の角や、家具と壁面との間の隙間等に存在する塵埃を効果的に吸い込むことができるものをいう。
【０００８】
また、上記延長管の一端部分とは、一端と、この一端の近傍部分とを含む延長管の部分をいう。
【０００９】
一実施形態の縦型電気掃除機は、上記延長管は、上記一端の近傍の側面に、上記本体通風管の他端に臨む延長管側貫通孔を有し、
上記延長管側貫通孔は、上記隙間ノズルが上記延長管の一端側に進出したときに閉じる一方、上記隙間ノズルが上記延長管の他端側に退去したときに開放するように形成されている。
【００１０】
上記実施形態によれば、上記延長管が本体通風管に接続されるとき、上記隙間ノズルが延長管の他端側に退去することにより、上記延長管側貫通孔が開放する。この開放した延長管側貫通孔を介して、上記延長管と本体通風管とが連通する。上記延長管側貫通孔を介して上記延長管と本体通風管とが連通するので、この本体通風管から延長管に流れる空気は、上記延長管の断面が比較的小さい部分を迂回できる。したがって、上記本体通風管から延長管に流れる空気に対する抵抗を、効果的に低減できる。その結果、この縦型電気掃除機の吸い込み仕事率の低下を効果的に防止できる。
【００１１】
一実施形態の縦型電気掃除機は、上記延長管は、上記一端部分の側面に、上記本体通風管の他端に臨む延長管側貫通孔を有し、
上記隙間ノズルは、側面にノズル側貫通孔を有し、
上記隙間ノズルが上記延長管の一端側に進出したとき、上記延長管側貫通孔と上記ノズル側貫通孔との連通が遮断される一方、上記隙間ノズルが上記延長管の他端側に退去したとき、上記延長管側貫通孔と上記ノズル側貫通孔とが連通するように形成されている。
【００１２】
上記実施形態によれば、上記延長管が本体通風管に接続されるとき、上記隙間ノズルが延長管の他端側に退去することにより、上記延長管側貫通孔と上記ノズル側貫通孔とが連通する。この互いに連通した延長管側貫通孔とノズル側貫通孔を介して、上記延長管と本体通風管とが連通する。上記延長管側貫通孔とノズル側貫通孔を介して上記延長管と本体通風管とが連通するので、この本体通風管から延長管に流れる空気は、上記延長管の断面が比較的小さい部分を迂回できる。したがって、上記本体通風管から延長管に流れる空気に対する抵抗を、効果的に低減できる。その結果、この縦型電気掃除機の吸い込み仕事率の低下を効果的に防止できる。また、上記隙間ノズルの進退に伴い、上記延長管側貫通孔とノズル側貫通孔とが連通及び遮断されるので、簡単な構造で確実に、上記吸込口体を用いた床面掃除と、上記隙間ノズルを用いた隙間掃除とを行うことができる。
【００１３】
一実施形態の縦型電気掃除機は、上記本体通風管の他端に上記延長管の一端部分が接続されたとき、上記延長管の隙間ノズルの先端に設けられた開口を閉塞する閉塞部材を備える。
【００１４】
上記実施形態によれば、上記本体通風管の他端に上記延長管の一端部分が接続されて、上記本体通風管と延長管とが連通したとき、上記隙間ノズルの先端の開口が、上記閉塞部材によって閉塞される。これにより、上記本体通風管からの空気が隙間ノズルから漏れることが防止される。したがって、上記吸込口体を用いた床面掃除を行う際の吸い込み仕事率の低下を、効果的に防止できる。
【００１５】
一実施形態の縦型電気掃除機は、上記延長管は、上記隙間ノズルを一端側に向かって付勢する付勢部材を有する。
【００１６】
上記実施形態によれば、上記延長管が本体通風管と分離しているとき、上記付勢部材によって隙間ノズルが付勢されて、この隙間ノズルが延長管の一端側に進出する。したがって、従来のように隙間ノズルを本体から取り外して延長管の先端に取り付ける手間を効果的に削除できて、吸込口体を用いた床面掃除から、簡単かつ迅速に、隙間ノズルを用いた隙間掃除に移ることができる。
【００１７】
一実施形態の縦型電気掃除機は、上記延長管は、上記一端部分に、この延長管に対して進退自在かつ分離不可に形成された補助ブラシを有する。
【００１８】
上記実施形態によれば、上記延長管が本体通風管から分離しているとき、上記補助ブラシを延長管の一端側に進出させることにより、この補助ブラシを用いて掃除を行うことができる。上記補助ブラシは、上記延長管に対して進退自在かつ分離不可に形成されているので、上記延長管を本体通風管から分離させた後、ワンタッチで簡単・迅速に、掃除可能な状態になる。
【発明の効果】
【００１９】
以上のように、本発明の縦型電気掃除機は、延長管の一端部分を上記本体通風路の他端から離脱し、上記延長管の一端部分の内側に設けられた隙間ノズルを延長管の一端側に進出させることにより、本体の下方に接続された吸込口体を用いた床面掃除から、上記隙間ノズルを用いた隙間掃除に、簡単かつ迅速に移ることができる。
【発明を実施するための最良の形態】
【００２０】
以下、本発明を図示の実施の形態により詳細に説明する。
【００２１】
図１は、本発明の実施形態の縦型電気掃除機を示す断面図である。この縦型電気掃除機は、電気掃除機本体１と、この電気掃除機本体１の下面に設けられて図示しない吸込口体が連結される吸込口体連結部２と、この吸込口体連結部２に一端が連なり、上記電気掃除機本体１内に形成された本体通風管３と、この本体通風管３の他端に連結された延長管４と、この延長管４に連なると共に把手５１を有する手元パイプ５と、この手元パイプ５に接続されたホース６と、このホース６に連なる集塵部としてのサイクロン装置７を備える。
【００２２】
上記延長管４の先端部分は、上記電気掃除機本体１の上面に設けられた延長管連結部内に、着脱可能に挿入されている。上記電気掃除機本体１の延長管連結部内には、上記本体通風管３の他端が開口しており、この本体通風管３と、挿入された上記延長管４とを連通するように形成されている。上記延長管連結部は、上記延長管４の先端部分に対して係合する係合爪を有する。この係合爪は、上記電気掃除機本体１の上面に設けられた解除ボタンによって、上記延長管４に対する係合を解除するように形成されている。上記延長管４の先端部分には、内側に、隙間ノズル１０が進退自在に収容されていると共に、外側に、補助ブラシとしての補助吸込口体２０が進退自在に嵌合している。
【００２３】
さらに、上記電気掃除機本体１には、サイクロン装置７の下流側に連なり、吸い込み空気の流れを生成する電動送風機３０と、電源コードを巻き取るコードリール３１が内蔵されている。この縦型電気掃除機は、上記吸込口体連結部２に連結される図示しない吸込口体に設けられた走行車輪に大部分の荷重が支えられ、上記手元パイプ５の把手５１が操作者に把持されて移動するものである。
【００２４】
上記サイクロン装置７は、筒状の集塵ケースと７１と、この集塵ケース７１の開口端に連結されたサイクロン本体７２とを有する。このサイクロン本体７２は、上記集塵ケース中に突出する排気筒７３と、この排気筒７３から吸引した空気を濾過するフィルター体７４とを有する。上記集塵ケース７１の電気掃除機本体側の側面には、吸い込み空気を導く開口７６が設けられている。この開口７６は、電気掃除機本体１内の通路を介して上記ホース６に連通している。
【００２５】
図２は、上記延長管４の先端部分と、この先端部分の内側に進退自在に収容された隙間ノズル１０とを示す横断面図である。図３は、上記延長管４の先端部分及び隙間ノズル１０を示す縦断面図である。
【００２６】
図２及び３に示すように、上記延長管４の先端部分の内側に、上記隙間ノズル１０が収容されており、この隙間ノズル１０の延長管４内に収容される部分は、上記延長管４の先端部分の内径よりも僅かに小さい外径を有するように形成されている。この隙間ノズル１０の側面には、長手方向の略中央に、ノズル側貫通孔１１が形成されている。また、この隙間ノズル１０は、上記ノズル側貫通孔１１の先端側の縁の近傍から先端に向かうにつれて横幅が減少し、先端に、端面視において細長い概略矩形の開口１５が形成されている。上記開口１５の縁は、側面視において弧状に傾斜している。
【００２７】
上記延長管４の側面には、先端から多少後退した位置に、延長管側貫通孔４１が形成されている。
【００２８】
上記隙間ノズル１０のノズル側貫通孔１１と、上記延長管４の延長管側貫通孔４１とは、互いに同じ周方向位置に形成されている。上記隙間ノズル１０が延長管４に対して突出すると、上記ノズル側貫通孔１１の後退側の縁が、上記延長管側貫通孔４１の突出側の縁に当接する。これにより、図２及び３に示すように、上記隙間ノズル１０が延長管４に対して係止して所定の突出位置に停止すると共に、この隙間ノズル１０の側面が上記延長管側貫通孔４１の開口を閉塞するようになっている。一方、上記隙間ノズル１０が延長管４に対して後退すると、この延長管４の内側面に形成された図示しない係止部に上記隙間ノズル１０が係止して、この隙間ノズル１０が所定の後退位置に停止するようになっている。この後退位置において、上記隙間ノズル１０のノズル側貫通孔１１と、上記延長管４の延長管側貫通孔４１とが互いに重なり合うようになっている。これにより、上記延長管４の内側と外側が、上記ノズル側貫通孔１１及び延長管側貫通孔４１を介して互いに連通するようになっている。
【００２９】
また、上記延長管４の先端部分の外側面には、図２及び３には図示しないが、概略筒状を有する補助ブラシとしての補助吸込口体２０が長手方向に摺動自在に嵌合している。この補助吸込口体２０は、環状の端面の略全周に亘って、長手方向に向かって延びるブラシが植えられている。上記補助吸込口体２０は、上記電気掃除機本体１の上面に設けられた延長管連結部に、上記延長管４の先端部分及び隙間ノズル１０と共に挿入されるようになっている。上記補助吸込口体２０は、ブラシの先端が延長管４の先端よりも突出した突出位置と、ブラシの先端が延長管４の先端よりも後退した後退位置とで延長管４に対して係止するように形成されている。上記突出位置にある補助吸込口体２０が、上記電気掃除機本体１の延長管連結部内に挿入されるとき、この延長管連結部の凹部の内側面で上記補助吸込口体２０の解除ボタンが押圧されて、この補助吸込口体２０と延長管４との係合が解かれるようになっている。さらに、上記補助吸込口体２０に、この補助吸込口体２０の外側面と延長管連結部の内側面との摩擦により、上記延長管４の他端側向きの力が作用するようになっている。これにより、上記延長管４の先端部を上記延長管連結部内に挿入する動作のみにより、操作者が補助吸込口体２０に対して係合の解除及び後退の操作をすることなく、上記補助吸込口体２０を後退位置に移動させることができる。上記延長管４の先端部を電気掃除機本体１から引き抜く場合、電気掃除機本体１の上面に設けられた解除ボタンが操作されて、上記延長管４に対する電気掃除機本体１の係合爪の係合が解除される。そして、上記延長管４を電気掃除機本体１から引き抜く動作により、上記補助吸込口体２０の外側面と延長管連結部の内側面との摩擦によって、上記補助吸込口体２０が延長管に対して突出する方向に相対移動する。そして、上記補助吸込口体２０が突出位置に達して、補助吸込口体２０と延長管４とが係合するようになっている。つまり、上記延長管４を電気掃除機本体１から引き抜く動作のみにより、操作者が補助吸込口体２０に対して係合の解除及び突出の操作をすることなく、上記補助吸込口体２０を突出位置に移動させることができる。
【００３０】
上記構成の縦型電気掃除機は、次のように動作する。まず、図１に示すように、延長管４が電気掃除機本体１に接続された状態で、この電気掃除機本体１の下面の吸込口体連結部２に吸込口体を接続する。この吸込口体の吸込口が床面に対向した状態で、把手５１が操作者に把持され、電源スイッチがオンされると、この電気掃除機本体１の電動送風機３０が起動する。これにより、上記吸込口体、本体通風路３、延長管４、手元パイプ５及び上記ホース６内を吸い込み空気が流れて、上記吸込口体の吸込口から、床面の塵が吸い込まれる。吸い込み空気は、塵と共に、集塵ケースの開口７６から集塵ケース内７１に導かれて、この集塵ケース内７１で生成される旋回流によって、上記塵のうちの比較的大きい塵が分離される。比較的大きい塵が分離された吸い込み空気は、上記サイクロン本体の排気筒７３を通ってフィルター体７４に導かれ、このフィルター体７４で微小な塵が除去されて、電気掃除機本体１から排出される。このようにして、吸込口体を用いた床面の掃除が行われる。
【００３１】
一方、床面の角や、家具と壁との間のような狭所の掃除を行う場合、上記延長管４の先端部分に設けられた補助吸込口体２０及び隙間ノズル１０を用いる。
【００３２】
まず、操作者によって、電気掃除機本体１の上面の解除ボタンが操作されて、延長管４と延長管連結部とのロックが解除される。続いて、操作者により、手元パイプの把手５１に上側向きの力が加えられて、延長管４の先端部分が延長管連結部から引き抜かれる。このとき、上記延長管４に外嵌する補助吸込口体２０の外側面と、上記延長管連結部の内側面との摩擦により、上記補助吸込口体２０が延長管に対して突出する方向に相対移動し、上記補助吸込口体２０が突出位置に達して延長管４に係合する。この補助吸込口体２０が突出位置にある延長管５の先端部分を、家具と壁との隙間等に挿入し、この隙間の床面に補助吸込口体２０の先端のブラシ３１を臨ませて、狭所等の掃除を行う。このとき、上記補助吸込口体２０が延長管側貫通穴４１を覆って塞ぐので、貫通穴４１を介して吸い込み空気が漏れ入ることはない。
【００３３】
さらに狭い隙間等から埃を吸い込む場合、上記隙間ノズル１０を用いて隙間掃除を行う。
【００３４】
まず、補助吸込口体２０の解除ボタンを押圧し、この補助吸込口体２０の延長管４に対する係合を解いて、この補助吸込口体２０を延長管４の先端から後退位置に後退させる。続いて、上記延長管４に対して後退していた隙間ノズル１０を、突出位置まで引き出す。これにより、上記隙間ノズル１０の側面が上記延長管側貫通孔４１の開口を閉塞する。この隙間ノズル１０の先端を、家具と壁との隙間等に挿入して、この隙間の床面の埃等を隙間ノズル１０の先端の開口１５から吸い込み、隙間掃除を行う。
【００３５】
隙間掃除の後、床面掃除に戻る場合、上記電気掃除機本体１の延長管連結部に、延長管４の先端部分を連結させる。図４は、延長管４が連結された状態の延長管連結部を示す概略横断面図であり、図５は、上記延長管連結部を示す縦断面図である。図６は、上記延長管４及び隙間ノズル１０を先端側から見た図である。なお、図４及び５において、延長管４の先端部分の補助吸込口体２０は図示していない。
【００３６】
まず、上記延長管４の先端部分を、上記電気掃除機本体１の上面の延長管連結部内に挿入する。このとき、上記延長管４の先端部分には、隙間ノズル１０が突出している一方、補助吸込口体２０が延長管４の先端よりも後退している。この状態で延長管連結部内に延長管４の先端部分が挿入されると、まず、突出していた隙間ノズル１０の先端部分が、上記延長管連結部の底部に設けられた密封部材１３に当接する。上記密封部材１３は、上記延長管連結部の開口側の面に凹部が設けられており、この凹部内に隙間ノズル１０の先端部分が収容されるように形成されている。上記延長管４の先端部分が挿入されるに伴い、先端部分が密封部材１３からの反力を受けて上記隙間ノズル１０が延長管４内に没入する。これにより、上記延長管４の側面によって閉鎖されていた上記延長管側貫通孔４１が開口し、この開口した延長管側貫通孔４１に、本体通風管３の端部が連通する。詳しくは、延長管４の側面の延長管側貫通穴４１と、隙間ノズル１０の側面のノズル側貫通孔１１とが互いに重なり合い、この重なり合った延長管側貫通穴４１とノズル側貫通孔１１とを介して、本体通風管３と延長管４とが連通する。上記延長管４の側面の上記延長管側貫通穴４１の周りには、本体通風管３の先端に設けられたパッキン３１が密着する一方、上記延長管４の先端部分に設けられた隙間ノズル１０の先端には、密封部材１３が密着しているので、上記本体通風管３からの吸い込み空気が、延長管４に漏れなく流入する。
【００３７】
なお、補助吸込口体２０が延長管４の先端よりも突出した状態で延長管連結部内に挿入された場合、上記補助吸込口体２０が延長管連結部の内側面で解除ボタンが押圧され、この補助吸込口体２０と延長管４との係合が解かれる。この後、上記補助吸込口体２０の外側面と延長管連結部の内側面との摩擦により、上記延長管４の先端部が上記延長管連結部内に挿入されるに伴って、上記補助吸込口体２０が後退位置に移動する。これにより、上記延長管側貫通穴４１が露出し、この延長管側貫通穴４１に本体通風管３のパッキン３１が密着し、この本体通風管３と延長管４とが連通する。
【００３８】
このようにして、上記延長管連結部に延長管４が連結され、電気掃除機本体１の下方の吸込口体から床面の埃が吸い込まれ、この埃が本体通風路３、延長管４、手元パイプ５及び上記ホース６内を経由して、サイクロン装置７に集められる。
【００３９】
以上のように、延長管４の先端部分の内側に隙間ノズル１０を進退自在に収容した状態で、この延長管４の先端部分を電気掃除機本体１の延長管連結部に着脱できるので、従来よりも簡単かつ迅速に、床面掃除から隙間掃除に、また、隙間掃除から床面掃除に移ることができる。また、上記延長管４の側面に延長管側貫通穴４１を設けたので、本体通風管３から延長管４に流入する吸い込み空気に対して、隙間ノズル１０が抵抗となることを効果的に防止できる。また、上記隙間ノズル１０が延長管４に対して後退したときに延長管側貫通穴４１とノズル側貫通孔１１とが連通する一方、上記隙間ノズル１０が延長管４に対して進出したときに、この隙間ノズル１０の側面によって延長管側貫通穴４１が塞がれるので、本体通風管３と延長管４とを連結して隙間ノズル１０を使用しないときには、本体通風管３と延長管４とを比較的小さい抵抗で連通できる一方、隙間ノズル１０の使用時に吸い込み空気の漏れを確実に防止できる。また、上記延長管連結部内に、隙間ノズル１０の先端を密封する密封部材１３を設けたので、本体通風管３と延長管４との接続時に隙間ノズル１０からの吸い込み空気の漏れを効果的に防止できる。
【００４０】
また、上記延長管４の先端部分に補助ブラシとしての補助吸込口体２０を設けたので、上記延長管４が本体通風管３から分離しているとき、上記補助吸込口体２０を延長管４の先端側に進出させることにより、ワンタッチで簡単・迅速に、補助吸込口体２０を用いた隙間掃除を行うことができる。
【００４１】
なお、上記実施形態において、隙間ノズル１０は、操作者によって延長管４内を進退駆動されたが、上記延長管４内に上記隙間ノズル１０を突出方向に付勢する付勢部材を設けてもよい。これにより、上記延長管４を延長管連結部から引き出したとき、操作者による操作を受けることなく延長管４から隙間ノズル１０を突出させることができる。一方、上記延長管４を延長管連結部に挿入するとき、上記隙間ノズル１０が密封部材１３に当接することにより、延長管４の挿入動作によって隙間ノズル１０を延長管４内に没入させることができる。
【００４２】
また、上記延長管４に、補助吸込口体２０を設けなくてもよい。
【００４３】
なお、上記実施形態において、集塵部は、サイクロン装置７によって吸い込み空気の旋回流を生成して埃を分離するサイクロン式であったが、例えば使い捨ての紙パックに埃を集める紙パック式であってもよい。
【図面の簡単な説明】
【００４４】
【図１】本発明の実施形態の縦型電気掃除機を示す断面図である。
【図２】延長管の先端部分と、この先端部分の内側に進退自在に収容された隙間ノズルとを示す横断面図である。
【図３】延長管の先端部分及び隙間ノズルを示す縦断面図である。
【図４】延長管が連結された状態の延長管連結部を示す概略横断面図である。
【図５】延長管連結部を示す縦断面図である。
【図６】延長管及び隙間ノズルを先端側から見た図である。
【符号の説明】
【００４５】
１  電気掃除機本体
２  吸込口体連結部
３  本体通風管
４  延長管
５  手元パイプ
６  ホース
７  サイクロン装置
１０  隙間ノズル
２０  補助吸込口体
【図１】
2006239222.tif 000003
【図２】
2006239222.tif 000004
【図３】
2006239222.tif 000005
【図４】
2006239222.tif 000006
【図５】
2006239222.tif 000007
【図６】
2006239222.tif 000008